【手続補正書】
【提出日】平成20年4月24日(2008.4.24)
【手続補正１】
【補正対象書類名】明細書
【補正対象項目名】特許請求の範囲
【補正方法】変更
【補正の内容】
【特許請求の範囲】
【請求項１】  ページ単位で入力される画像データが添付された電子メールを送信する通信装置において、
前記電子メールのサイズが予め設定されたサイズを越えているか否かを判別するサイズ判別手段と、
前記サイズ判別手段により前記電子メールのサイズが前記予め設定されたサイズを越えていると判別された場合、前記電子メールをページ単位に分割する第１の分割手段と、
前記サイズ判別手段により前記電子メールのサイズが前記予め設定されたサイズを越えていると判別された場合、前記電子メールを所定サイズ毎に分割する第２の分割手段と、
前記電子メールの宛先に応じて前記第１および第２の分割手段を切り替える切替手段と、
前記切替手段による切り替えに応じて前記第１の分割手段または第２の分割手段によって分割された複数の電子メールを宛先に送信する送信手段とを備えたことを特徴とする通信装置。
【請求項２】  ページ単位で入力される画像データが添付された電子メールを送信する通信装置において、
前記電子メールのサイズが予め設定されたサイズを越えているか否かを判別するサイズ判別手段と、
前記サイズ判別手段により前記電子メールのサイズが前記予め設定されたサイズを越えていると判別された場合、前記電子メールをページ単位に分割する第１の分割手段と、
前記サイズ判別手段により前記電子メールのサイズが前記予め設定されたサイズを越えていると判別された場合、前記電子メールを所定サイズ毎に分割する第２の分割手段と、
前記サイズ判別手段により前記電子メールのサイズが前記予め設定されたサイズを越えていると判別された場合に、前記第１の分割手段により前記電子メールを分割可能か否か判定し、当該判定により前記第１の分割手段により前記電子メールを分割可能と判定された場合には前記第１の分割手段による分割を行い、前記第１の分割手段により前記電子メールを分割不可能と判定された場合には前記第２の分割手段による分割を行うよう制御する制御手段と、
前記制御手段による制御に従って分割された複数の電子メールを宛先に送信する送信手段とを備えたことを特徴とする通信装置。
【請求項３】  前記第１の分割手段で分割するか否か、及び前記第２の分割手段で分割するか否かを登録する登録手段を備え、
前記制御手段は、前記登録手段に登録された情報に応じて、前記判定を行うことを特徴とする請求項２に記載の通信装置。
【請求項４】  宛先及び当該宛先毎に前記第１の分割手段による分割を行うか否か、前記第２の分割手段による分割を行うか否かに関する情報が登録された宛先情報登録手段を備え、
前記切替手段は、前記宛先情報登録手段に登録されている宛先に対応する情報に基づき前記第１の分割手段による分割と前記第２の分割手段による分割を切り替えることを特徴とする請求項１に記載の通信装置。
【請求項５】  画像を読み取って前記画像データに変換する画像読取手段を備え、
前記送信手段は、前記画像読取手段により変換された画像データを添付ファイルとして前記電子メールに添付して送信することを特徴とする請求項１乃至４のいずれかに記載の通信装置。
【請求項６】  前記送信手段は、公衆回線を通じてファクシミリで受信した画像データ、またはネットワークを通じて受信した画像データを添付ファイルとして前記電子メールに添付して送信することを特徴とする請求項１乃至５のいずれかに記載の通信装置。
【請求項７】  前記分割して送信される電子メールのヘッダ情報に、分割数および分割順序に関する情報を付与することを特徴とする請求項１乃至６のいずれかに記載の通信装置。
【請求項８】  前記分割して送信される複数の電子メールのそれぞれのヘッダ情報に、共通のＩＤを付与することを特徴とする請求項１乃至７のいずれかに記載の通信装置。
【請求項９】  前記第１の分割手段によってページ単位に分割される場合、複数の添付ファイルのそれぞれに共通の文字列を含むファイル名を付与することを特徴とする請求項１乃至８のいずれかに記載の通信装置。
【請求項１０】  前記第２の分割手段によって所定サイズ毎に分割される場合、前記電子メールのヘッダ情報に分割されたことを示す情報を付与することを特徴とする請求項１乃至９のいずれかに記載の通信装置。
【請求項１１】  ページ単位で入力される画像データが添付された電子メールを送信する送信方法において、
前記電子メールのサイズが予め設定されたサイズを越えているか否かを判別するサイズ判別工程と、
前記サイズ判別工程において前記電子メールのサイズが前記予め設定されたサイズを越えていると判別された場合、前記電子メールをページ単位に分割する第１の分割工程と、
前記サイズ判別工程において前記電子メールのサイズが前記予め設定されたサイズを越えている場合、前記電子メールを所定サイズ毎に分割する第２の分割工程と、
前記電子メールの宛先に応じて前記第１および第２の分割工程を切り替える切替工程と、
前記切替工程による切り替えに応じて前記第１の分割工程または第２の分割工程によって分割された複数の電子メールを宛先に送信する送信工程とを有することを特徴とする送信方法。
【請求項１２】  ページ単位で入力される画像データが添付された電子メールを送信する送信方法において、
前記電子メールのサイズが予め設定されたサイズを越えているか否かを判別するサイズ判別工程と、
前記サイズ判別工程において前記電子メールのサイズが前記予め設定されたサイズを越えていると判別された場合、前記電子メールをページ単位に分割する第１の分割工程と、
前記サイズ判別工程において前記電子メールのサイズが前記予め設定されたサイズを越えていると判別された場合、前記電子メールを所定サイズ毎に分割する第２の分割工程と、
前記サイズ判別工程において前記電子メールのサイズが前記予め設定されたサイズを越えていると判別された場合に、前記第１の分割工程により前記電子メールを分割可能か否か判定し、当該判定により前記第１の分割工程により前記電子メールを分割可能と判定された場合には前記第１の分割工程による分割を行い、前記第１の分割工程により前記電子メールを分割不可能と判定された場合には前記第２の分割手段による分割を行うよう制御する制御工程と、
前記制御工程による制御に従って分割された複数の電子メールを宛先に送信する送信工程とを備えたことを特徴とする送信方法。
【請求項１３】  請求項１１または１２に記載の送信方法を実現するためのプログラムコードを保持する記憶媒体。
【請求項１４】  請求項１１または１２に記載の送信方法を実現するためのプログラムコードを有するプログラム。
【手続補正２】
【補正対象書類名】明細書
【補正対象項目名】０００８
【補正方法】変更
【補正の内容】
【０００８】
そこで、本発明は、電子メールによって画像データを送信する際、適切な方法によって電子メールを分割して送信できる通信装置、送信方法、プログラムおよび記憶媒体を提供することを目的とする。
【手続補正３】
【補正対象書類名】明細書
【補正対象項目名】０００９
【補正方法】変更
【補正の内容】
【０００９】
【課題を解決するための手段】
上記目的を達成するために、本発明の通信装置は、ページ単位で入力される画像データが添付された電子メールを送信する通信装置において、前記電子メールのサイズが予め設定されたサイズを越えているか否かを判別するサイズ判別手段と、前記サイズ判別手段により前記電子メールのサイズが前記予め設定されたサイズを越えていると判別された場合、前記電子メールをページ単位に分割する第１の分割手段と、前記サイズ判別手段により前記電子メールのサイズが前記予め設定されたサイズを越えていると判別された場合、前記電子メールを所定サイズ毎に分割する第２の分割手段と、前記電子メールの宛先に応じて前記第１および第２の分割手段を切り替える切替手段と、前記切替手段による切り替えに応じて前記第１の分割手段または第２の分割手段によって分割された複数の電子メールを宛先に送信する送信手段とを備えたことを特徴とする。
【手続補正４】
【補正対象書類名】明細書
【補正対象項目名】００１０
【補正方法】変更
【補正の内容】
【００１０】
また、本発明の通信装置は、ページ単位で入力される画像データが添付された電子メールを送信する通信装置において、前記電子メールのサイズが予め設定されたサイズを越えているか否かを判別するサイズ判別手段と、前記サイズ判別手段により前記電子メールのサイズが前記予め設定されたサイズを越えていると判別された場合、前記電子メールをページ単位に分割する第１の分割手段と、前記サイズ判別手段により前記電子メールのサイズが前記予め設定されたサイズを越えていると判別された場合、前記電子メールを所定サイズ毎に分割する第２の分割手段と、前記サイズ判別手段により前記電子メールのサイズが前記予め設定されたサイズを越えていると判別された場合に、前記第１の分割手段により前記電子メールを分割可能か否か判定し、当該判定により前記第１の分割手段により前記電子メールを分割可能と判定された場合には前記第１の分割手段による分割を行い、前記第１の分割手段により前記電子メールを分割不可能と判定された場合には前記第２の分割手段による分割を行うよう制御する制御手段と、前記制御手段による制御に従って分割された複数の電子メールを宛先に送信する送信手段とを備えたことを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
本発明の送信方法は、ページ単位で入力される画像データが添付された電子メールを送信する送信方法において、前記電子メールのサイズが予め設定されたサイズを越えているか否かを判別するサイズ判別工程と、前記サイズ判別工程において前記電子メールのサイズが前記予め設定されたサイズを越えていると判別された場合、前記電子メールをページ単位に分割する第１の分割工程と、前記サイズ判別工程において前記電子メールのサイズが前記予め設定されたサイズを越えている場合、前記電子メールを所定サイズ毎に分割する第２の分割工程と、前記電子メールの宛先に応じて前記第１および第２の分割工程を切り替える切替工程と、前記切替工程による切り替えに応じて前記第１の分割工程または第２の分割工程によって分割された複数の電子メールを宛先に送信する送信工程とを有することを特徴とする。
【手続補正７】
【補正対象書類名】明細書
【補正対象項目名】００１３
【補正方法】変更
【補正の内容】
【００１３】
また、本発明の送信方法は、ページ単位で入力される画像データが添付された電子メールを送信する送信方法において、前記電子メールのサイズが予め設定されたサイズを越えているか否かを判別するサイズ判別工程と、前記サイズ判別工程において前記電子メールのサイズが前記予め設定されたサイズを越えていると判別された場合、前記電子メールをページ単位に分割する第１の分割工程と、前記サイズ判別工程において前記電子メールのサイズが前記予め設定されたサイズを越えていると判別された場合、前記電子メールを所定サイズ毎に分割する第２の分割工程と、前記サイズ判別工程において前記電子メールのサイズが前記予め設定されたサイズを越えていると判別された場合に、前記第１の分割工程により前記電子メールを分割可能か否か判定し、当該判定により前記第１の分割工程により前記電子メールを分割可能と判定された場合には前記第１の分割工程による分割を行い、前記第１の分割工程により前記電子メールを分割不可能と判定された場合には前記第２の分割手段による分割を行うよう制御する制御工程と、前記制御工程による制御に従って分割された複数の電子メールを宛先に送信する送信工程とを備えたことを特徴とする。
【手続補正８】
【補正対象書類名】明細書
【補正対象項目名】００１４
【補正方法】削除
【補正の内容】
【手続補正９】
【補正対象書類名】明細書
【補正対象項目名】０１０４
【補正方法】変更
【補正の内容】
【０１０４】
【発明の効果】
本発明によれば、電子メールによって画像データを送信する際、適切な方法によって電子メールを分割して送信できる。